(57)【要約】【課題】ディスプレイ装置を壁掛け使用するために、簡単な構造で耐荷重の優れたディスプレイ装置を提供すること。【解決手段】ディスプレイ装置１のバックカバー５の内側の中央部に、表示パネル３側に向かって突起したボス部５１をバックカバー５と一体的に形成し、ボス部５１の先端をベースシャーシ４の対向する位置に形成した突起部４１に連結固定する。ボス部５１は、壁掛け金具６を取り付ける取付領域（４個の取付穴５４）の略中心位置に形成する。あるいはボス部５１は、取付領域内であって水平方向の略中心位置に形成する。【選択図】図３
2011123269.tif 000002
【特許請求の範囲】
【請求項１】
映像を表示する表示パネルと、該表示パネルを駆動する電子部品を搭載したベースシャーシと、該電子部品を保護するバックカバーを備え、該バックカバーの外側に壁掛け金具を取り付けることで壁掛け設置可能なディスプレイ装置において、
前記バックカバーの内側の中央部に、前記表示パネル側に向かって突起したボス部を該バックカバーと一体的に形成し、該ボス部の先端を前記ベースシャーシの対向する位置に連結固定したことを特徴とするディスプレイ装置。
【請求項２】
請求項１に記載のディスプレイ装置において、
前記ベースシャーシには、前記バックカバーに形成した前記ボス部と対向する位置に該ベースシャーシと一体的に突起部を形成し、前記ボス部を該突起部に連結固定したことを特徴とするディスプレイ装置。
【請求項３】
請求項１または２に記載のディスプレイ装置において、
前記バックカバーには、前記壁掛け金具を取り付けるために略正方形の取付領域を定め、その頂点位置に前記壁掛け金具を取り付けるための４個の取付穴を設け、
前記バックカバーの内側で該４個の取付穴に接続する位置に一部金属片を含む４個のカバー取付部を設けたことを特徴とするディスプレイ装置。
【請求項４】
請求項３に記載のディスプレイ装置において、
前記ボス部は、前記バックカバーに定めた前記取付領域の略中心位置に形成したことを特徴とするディスプレイ装置。
【請求項５】
請求項３に記載のディスプレイ装置において、
前記ボス部は、前記バックカバーに定めた前記取付領域内であって水平方向の略中心位置に形成したことを特徴とするディスプレイ装置。
【発明の詳細な説明】
【技術分野】
【０００１】
本発明は、壁掛け可能な薄型のディスプレイ装置に関する。
【背景技術】
【０００２】
近年の薄型テレビジョン装置には、液晶やＰＤＰ等の薄型表示素子が用いられて、さらにテレビジョン装置の設置形態として、テレビスタンドにて支持する据え置き形態だけでなく壁掛け状態で使用する形態も実用化されている。壁掛け状態で使用する場合には、テレビジョン装置には更なる薄型化・軽量化が要求されるとともに、壁掛け部の機構には、テレビジョン装置を支持するための強度と装置背面における放熱が要求される。
【０００３】
これに関する技術として、特許文献１には、壁掛け可能なディスプレイ装置の軽量化を実現するため、壁掛け固定用金具をディスプレイ筐体内部から除去し、バックキャビネットをかぶせた状態で外部からディスプレイユニットにネジ止め固定されるとともに壁面側に対して係止する機能をもつ仲介金具を有する構成が開示されている。
【０００４】
また特許文献２には、液晶テレビの壁掛け時に良好な放熱を行うために、スタンド部材の回動部材は、壁掛け時に筐体の背面に収納された閉状態で壁側に所定の角度傾斜することにより、壁と筐体の背面との間に所定の隙間を形成するように回動部材の先端側が壁に当接する構成が開示されている。
【先行技術文献】
【特許文献】
【０００５】
【特許文献１】特開２００８−１４１６０６号公報
【特許文献２】実用新案登録第３１０９３７２号公報
【発明の概要】
【発明が解決しようとする課題】
【０００６】
特許文献１では、筐体内部からブリッジ状の金具を削除することでディスプレイ本体の薄型化と軽量化を図り、バックキャビネットの外側から仲介金具を固定した構造としている。その際、仲介金具はバックキャビネットを介してディスプレイユニットにネジ止め固定されている。仲介金具からディスプレイユニットまで到達するようネジ止め固定するためには、ディスプレイユニットの背面に配置された電子部品を避けた位置でなければならず、固定位置に制約がある。あるいはディスプレイユニットの上辺から下辺に至るブリッジ状の仲介金具を用いる場合には、金具のサイズが大型化してコスト高となる。
【０００７】
特許文献２では、液晶表示ユニットの側面と裏面を取り囲むように樹脂フレームが設けられ、樹脂フレームの背面には複数の放熱孔と２つの係合孔とが設けられている。液晶テレビを壁側に取り付ける場合は、２つの係合孔を、壁に取り付けた取付板の係合フックに係合させる。この構造では、樹脂フレームに設けた２つの係合孔にて液晶テレビの荷重を支持することになる。樹脂フレームは金属材に比べて強度が乏しいので、この構造では耐荷重が小さく、対応できるテレビは小型サイズに限られる。なお、樹脂フレームの内側中央に金属材のシャーシと連結するような補強用金具を設ければ耐荷重は向上するが、別途金具を設けるためにコスト高となる。
【０００８】
本発明の目的は、ディスプレイ装置を壁掛け使用するために、壁掛け金具を大型化したり筐体内部にシャーシと連結する補強用金具を別途設けることなく、簡単な構造で耐荷重の優れたディスプレイ装置を提供することである。
【課題を解決するための手段】
【０００９】
本発明は、映像を表示する表示パネルと、該表示パネルを駆動する電子部品を搭載したベースシャーシと、該電子部品を保護するバックカバーを備え、該バックカバーの外側に壁掛け金具を取り付けることで壁掛け設置可能なディスプレイ装置において、前記バックカバーの内側の中央部に、前記表示パネル側に向かって突起したボス部を該バックカバーと一体的に形成し、該ボス部の先端を前記ベースシャーシの対向する位置に連結固定した構成とする。
【００１０】
ここに前記ボス部は、前記壁掛け金具を取り付けるために前記バックカバーに定めた取付領域の略中心位置に形成する。あるいは前記ボス部は、前記取付領域内であって水平方向の略中心位置に形成する。
【発明の効果】
【００１１】
本発明によれば、簡単な構造でコストアップを抑え、耐荷重の優れたディスプレイ装置を提供することができる。
【図面の簡単な説明】
【００１２】
【図１】本発明にかかるディスプレイ装置の一実施例を示す分解斜視図である。
【図２Ａ】ディスプレイ装置の壁掛け方法を示す図（壁掛け前）である。
【図２Ｂ】ディスプレイ装置の壁掛け方法を示す図（壁掛け状態）である。
【図３】ディスプレイ装置の内部構成を示す断面図である。
【図４】バックカバーの内側の構造を示す斜視図である。
【図５】ボス位置の検討範囲を説明する図である。
【図６】ボス位置とセット変位量の関係を示す図である。
【図７】ボス位置と応力の関係を示す図である。
【発明を実施するための形態】
【００１３】
以下、本発明の実施の形態を図面を用いて説明する。
図１は、本発明にかかるディスプレイ装置の一実施例を示す分解斜視図である。ディスプレイ装置（以下、セットとも呼ぶ）１は、例えば薄型の液晶ディスプレイ装置やプラズマディスプレイ装置が相当し、スタンド据え置き状態と壁掛け状態とを切替えて設置可能である。セット１の本体は、前面側からベゼル２、表示パネル３、ベースシャーシ４、及びバックカバー５の順に構成される。ベゼル２は表示パネル３を保持し、表示パネル３は、映像を表示する薄型の液晶ディスプレイ素子やプラズマディスプレイ素子を有する。ベースシャーシ４には、表示パネル３を駆動する各種の電子部品（メイン基板、電源基板、ＨＤＤ記録装置、スピーカ、操作ボタンなど）が搭載される。バックカバー５は、ベースシャーシ４上の電子部品を保護するとともに、その外側に壁掛け金具を取り付ける構成となっている。すなわちバックカバー５には、壁掛け用金具を取り付けるための取付穴５４とともに、壁掛け時のバックカバー５を補強するためのボス部５１を設けている。ここに取付穴５４はバックカバー５のほぼ中央に所定間隔で４個、さらにボス部５１は４個の取付穴５４に囲まれた取付領域に設けている。
【００１４】
図２Ａと図２Ｂは、ディスプレイ装置を壁掛け設置する方法を示す図であり、図２Ａは壁掛け前のセットの後面図、図２Ｂは壁掛け状態の側面図である。
図２Ａのように、セット本体１のバックカバー５に壁掛け金具６を取り付ける。その際、２本の壁掛け金具６を垂直方向に向けて配置し、前記バックカバー５に設けた取付穴５４で位置決めし、４個の取付ネジ６５にて固定する。
【００１５】
次に図２Ｂのように、壁掛け金具６を取り付けたセット本体１を壁面８に壁掛け設置する。そのため壁面８には、壁金具７を取り付けている。壁掛け金具６はセット本体１の表示面を傾斜可能とするため、Ｖ字状に開閉可能な脚部を有する構造としている。そして、壁掛け金具６を壁金具７に引掛けることで壁面８に固定する。この図では、壁掛け金具６はセット表示面を前傾させるタイプであるが、逆にセット表示面を後傾させるタイプ、あるいは前傾と後傾の両方が可能なタイプも可能である。
【００１６】
図３は、ディスプレイ装置の内部構成を示す断面図であり、バックカバー５に設けたボス部５１を通る側断面図を示す。バックカバー５の内側には、カバー材料である樹脂モールド材を一体成型して表示パネル３に向かう略円筒状のボス部５１を形成している。また、ベースシャーシ４のボス部５１に対向する位置には、突起部４１をシャーシ材と一体成型にて形成している。そして、ボス部５１の先端面を突起部４１にボス固定ネジ５２にて固定する。ベースシャーシ４に搭載される電子部品４２は、突起部４１を避けるように配置する。このように、バックカバー５とベースシャーシ４とをボス部５１で連結固定する構成により、バックカバー５の強度、特に壁掛け金具６が取り付けられる中央部分の強度を大幅に向上させることができる。
【００１７】
壁掛け金具６の取付について説明する。壁掛け金具６はバックカバー５の取付穴５４を介して取り付けネジ６５にて固定する。その際、取付穴５４周囲の強度を向上させるため、バックカバー５の内側で取付穴５４に接続する位置に一部金属片を含むカバー取付部５３を設けている。壁掛け金具６は、取付金具Ａ６１と取付金具Ｂ６２とがＶ字状に開閉可能に構成され、その開閉角度は角度調整金具６３により調整される。そして、取付金具Ａ６１をバックカバー５のカバー取付部５３に固定した後、他方の取付金具Ｂ６２を壁金具７（図２Ｂ）に係合させる。取付金具Ｂ６２には、壁金具７に係合させるための２個の引掛け部６４を有する。このように、壁掛け金具６はバックカバー５の後面中央に取り付けるものであるから、小型のもので十分である。
【００１８】
図４は、バックカバー５の内側の構造を示す斜視図である。バックカバー５の内側には、ボス部５１とカバー取付部５３とを有する。ボス部５１は、バックカバー５のモールド材から先細りの円筒状の突起を成型したもので、その側面を十字翼状として補強している。ボス部５１の高さは、ベースシャーシ４に形成した突起部４１に当接する高さとし、当接面にはボス固定ネジ５２用の穴が開いている。４個のカバー取付部５３はモールド材を突起状に成型し、その表面に金属片を取り付けて壁掛け金具６取付時の補強を行っている。このように、バックカバー５とベースシャーシ４とを連結するために、新たに補強用金具を使用することなくバックカバー５のモールド材をそのまま用いるので簡単な構造となり、壁掛け時補強のためのコストアップを抑えることができる。
【００１９】
以下、ボス部５１の形成位置の最適化の検討を行った結果を述べる。
図５は、ボス位置の検討範囲を説明する図であり、バックカバー５を外側から見た図及びその拡大図である。まず、バックカバー５のほぼ中央部に１辺が１００ｍｍの略正方形の取付領域５５を定め、その頂点位置に４個の取付穴５４を形成する。次にこの取付領域５５内にボス部５１を形成するのであるが、取付領域５５の中心ＯからＸ方向（水平方向）またはＹ方向（垂直方向）にシフトさせた場合を検討する。
【００２０】
最適化検討では、セットを４個の取付穴５４にて壁掛け金具６に固定し、ボス部５１の位置（ボス位置）をＸ，Ｙ方向にシフトした場合に発生するセットの最大変位量と、取付穴５４の位置における最大応力を構造解析シミュレーションにより求めた。なお、セットの荷重は１５ｋｇとし、壁掛け金具６の傾斜角は前傾２０度および後傾２０度とした。
【００２１】
図６は、ボス位置とセット変位量の関係を示す図である。（ａ）は前傾２０度でボス位置をＸ方向にシフトした場合で、変位量はボス位置が中心位置（Ｘ＝０ｍｍ）で最小になる。これは、中心位置（Ｘ＝０ｍｍ）ではセットに対するボス部５１とカバー取付部５３による支持位置が水平方向で対称となり、セットの変形も水平方向で対称となるためと考えられる。（ｂ）は前傾２０度でボス位置をＹ方向にシフトした場合で、変位量はボス位置が中心より上側（Ｙ＝０〜１００ｍｍ）で最小になる。（ｃ）は後傾２０度でボス位置をＹ方向にシフトした場合で、変位量はボス位置が中心より下側（Ｙ＝−１００〜０ｍｍ）で最小になる。この結果は、セットが傾斜するとセットの変形の垂直方向の対称性がくずれ、最適位置もシフトすることを意味する。セットの傾斜方向として前傾と後傾の両方を考慮すると、ボス位置は両方の傾斜にて満足する中心位置（Ｙ＝０ｍｍ）が適当といえる。
【００２２】
図７は、ボス位置と応力の関係を示す図である。（ｄ）は前傾２０度でボス位置をＹ方向にシフトした場合で、応力はボス位置が中心より上下５０ｍｍの範囲（Ｙ＝−５０〜５０ｍｍ）で最小になり、これを越えると応力は急増する。この範囲は取付穴５４で囲まれた取付領域５５内に相当し、取付領域５５内であれば問題ないと言える。図示しないが、後傾２０度でボス位置をＹ方向にシフトした場合も同様の結果であった。なお、前傾２０度でボス位置をＸ方向にシフトした場合は、ボス位置と応力との間で有意な依存性は認められなかった。
【００２３】
以上の図６と図７の結果から、ボス位置の最適位置は、Ｘ方向、Ｙ方向とも取付穴５４で囲まれた取付領域の中心位置の近傍、あるいはセット（画面）１の中心位置近傍である。応力の結果を重視すれば、Ｙ方向については取付穴５４で囲まれた取付領域内であれば問題ないと言える。この条件を満足する位置にボス部５１を設ければ、より耐荷重の優れたディスプレイ装置を実現することができる。
【００２４】
上記実施例では、バックカバーに１個のボス部と４個の取付穴（カバー取付部）を設ける構成としたが、複数個のボス部または４個以上の取付穴を設ける構成としても良い。例えば２個のボス部を垂直方向にずらして配置すれば、セットを前後に傾斜して設置する場合に有効である。ボス部と取付穴を増設することで各支持部での荷重が分散され、ディスプレイ装置の大型化に対応することができる。
【符号の説明】
【００２５】
１…ディスプレイ装置（セット）、
２…ベゼル、
３…表示パネル、
４…ベースシャーシ、
５…バックカバー、
６…壁掛け金具、
７…壁金具、
８…壁面、
４１…突起部、
４２…電子部品、
５１…ボス部、
５２…ボス固定ネジ、
５３…カバー取付部、
５４…取付穴、
５５…取付領域、
６１…取付金具Ａ、
６２…取付金具Ｂ、
６３…角度調整金具、
６４…引掛け部、
６５…取付ネジ。
【図１】
2011123269.tif 000003
【図２Ａ】
2011123269.tif 000004
【図２Ｂ】
2011123269.tif 000005
【図３】
2011123269.tif 000006
【図４】
2011123269.tif 000007
【図５】
2011123269.tif 000008
【図６】
2011123269.tif 000009
【図７】
2011123269.tif 000010